(57)【特許請求の範囲】
【請求項１】
貯湯タンクと、前記貯湯タンクの上部に設けた出湯管と、前記貯湯タンクの下部に設けた給水管と、前記貯湯タンクの下部の水を上部に導く沸き上げ配管と、前記沸き上げ配管に設けた沸き上げポンプと、前記沸き上げ配管の途中に配設して前記沸き上げポンプで供給される水を加熱する加熱手段と、前記貯湯タンク内の残湯量を算出する残湯量算出手段とを備え、全量沸き上げ運転を行う時間帯を設定するとともに、前記残湯量算出手段で所定残湯量を算出した場合に湯切れ沸き上げ運転を行うことを設定した貯湯式給湯装置であって、前記湯切れ沸き上げ運転の停止を判断する停止残湯量を時間別に任意の値に設定する残湯量設定手段を有し、前記残湯量設定手段で設定された停止残湯量と前記残湯量算出手段で算出された残湯量に基づいて前記加熱手段の停止制御を行うようにし、前記残湯量設定手段は、所定の時間における貯湯タンク内の過去の残湯量が起動残湯量を下回る頻度が多いほど、前記所定の時間より前の時間の停止残湯量も多くなるよう変更するようにした貯湯式給湯装置。
【請求項２】
残湯量設定手段は、風呂湯張り動作が行われる時間帯において、起動残湯量及び停止残湯量が最も多くなるように設定した請求項１に記載の貯湯式給湯装置。
【請求項３】
加熱手段は、圧縮機、放熱器、膨張弁、及び蒸発器を配管で接続したヒートポンプサイクルとし、前記ヒートポンプサイクルに用いる冷媒を二酸化炭素とし、高圧側では臨界圧を越える状態で運転することを特徴とする請求項１または２に記載の貯湯式給湯装置。
【発明の詳細な説明】
【技術分野】
【０００１】
本発明は、電力を利用して湯を沸かす貯湯式給湯装置、特に冷媒として二酸化炭素を用
いたヒートポンプサイクルを利用した貯湯式給湯装置に関する。
【背景技術】
【０００２】
従来より、深夜電力を使用してタンク全量の沸き上げを行う貯湯式給湯装置にあっては、貯湯タンク内に満たした水を電力料金の安価な深夜時間帯で全量を沸き上げて、昼間時間帯に使用する湯をまかなうという考え方が一般的であった。そのため、貯湯タンクの容量は、一日に使用する湯の使用量の上限に合せた大きさのものを選択するようになっていた。
【０００３】
しかし、近年においては、機器の小型化や使用形態の多様化等の理由で、深夜時間帯の全量沸き上げ運転以外に昼間時間帯にも湯切れ沸き上げ運転等を行い、全量沸き上げ運転で不足する湯量を補うための沸き上げ動作を行うようにしたものが提案されている（例えば特許文献１参照）。
【特許文献１】特開２００３−１６１５４５号公報
【発明の開示】
【発明が解決しようとする課題】
【０００４】
しかしながら、上記従来の貯湯式給湯装置では、湯の使用量の上限に合せた大型の貯湯タンクが必要なため、商品の外形も大きくなり、広い設置スペースが必要であり、さらに、イニシャルコストもアップするという課題があった。この課題を解決するために、貯湯タンクを小型化した場合、湯切れに対する対応が必要になり、風呂湯張り等の大量の出湯に備え、前記特許文献１に記載されているように昼間時間帯において頻繁に湯切れ沸き上げ運転を行うことにより、ある程度の湯を確保しておく必要がある。このため、貯湯タンク内は常に沸き上がった状態に近い貯湯形態となるため、電力料金の安価な深夜時間帯に沸かすべき水が貯湯タンク内に少量しか残っていないので、結果的に、電力料金の高い昼間時間帯に沸かす比率が大きくなり、ランニングコストがアップするという課題が発生する。
【０００５】
本発明は上記課題を解決するもので、風呂湯張り時の使用量を基準にタンク容量を選択し、貯湯タンクの小型化を図るとともに、風呂湯張り動作の有無に応じて昼間の電力供給時間帯における沸き上げ開始の残湯量を変更することで、貯湯タンクを小型化した場合でも必要最小限の湯量を確保し、かつ電力料金の高い昼間時間帯での沸き上げの比率を小さくしてランニングコストの低減を図ることを目的としたものである。
【課題を解決するための手段】
【０００６】
本発明は上記目的を達成するために、貯湯タンクと、前記貯湯タンクの上部に設けた出湯管と、前記貯湯タンクの下部に設けた給水管と、前記貯湯タンクの下部の水を上部に導く沸き上げ配管と、前記沸き上げ配管に設けた沸き上げポンプと、前記沸き上げ配管の途中に配設して前記沸き上げポンプで供給される水を加熱する加熱手段と、前記貯湯タンク内の残湯量を算出する残湯量算出手段とを備え、全量沸き上げ運転を行う時間帯を設定するとともに、前記残湯量算出手段で所定残湯量を算出した場合に湯切れ沸き上げ運転を行うことを設定した貯湯式給湯装置であって、前記湯切れ沸き上げ運転の停止を判断する停止残湯量を時間別に任意の値に設定する残湯量設定手段を有し、前記残湯量設定手段で設定された停止残湯量と前記残湯量算出手段で算出された残湯量に基づいて前記加熱手段の停止制御を行うようにし、前記残湯量設定手段は、所定の時間における貯湯タンク内の過去の残湯量が起動残湯量を下回る頻度が多いほど、前記所定の時間より前の時間の停止残湯量も多くなるよう変更するようにしたものである。
【０００７】
上記発明によれば、昼間時間帯に行われる湯切れ沸き上げ運転の停止条件として停止残湯量を設定し、この停止残湯量を湯切れ沸き上げ運転が行われる時間帯において、その時
間別にそれぞれ任意の値に設定するようにしているため、設置スペース、イニシャルコストを低減するために貯湯タンクを小型化した場合でも、一日の湯量の使用形態に応じた最適な残湯湯量の確保を実現することができ、無駄な湯切れ沸き上げ運転を行うことなく、効率的な沸き上げ動作を確保することができ、かつ、湯量を大量に使用する湯張り動作に対応して事前に必要湯量を確保することができると共に、湯張り動作中における湯切れ沸き上げ運転を早期に開始することで湯張り動作後の湯切れ現象を解消することができる。
【０００８】
つまり、昼間の電力供給時間帯の沸き上げは湯切れを防止するための最小限に抑え、深夜時間帯に沸かすべき水を貯湯タンク内に確保できるため、ランニングコストアップを必要最小限に抑えることができる。そして、設置スペース、イニシャルコスト、ランニングコストの最適化を図るときに、貯湯タンクの小型化によるランニングコストアップを低減できるため、貯湯タンクの容量をより小さいものにすることができ、トータルのコストダウンおよび設置性の向上が図れる。
【発明の効果】
【０００９】
本発明によれば、昼間時間帯に行われる湯切れ沸き上げ運転の停止条件である停止残湯量を時間によって変化させて設定するようにしているため、貯湯タンクを小型化した場合でも湯量の使用形態に応じた最適な残湯湯量を確保する沸き上げ運転を実現することができ、湯切れ現象がなく、かつ電力料金の高い昼間時間帯における沸き上げ比率が小さくランニングコストの低廉な貯湯式給湯装置を提供することができる。
【発明を実施するための最良の形態】
【００１０】
第１の発明は、貯湯タンクと、前記貯湯タンクの上部に設けた出湯管と、前記貯湯タンクの下部に設けた給水管と、前記貯湯タンクの下部の水を上部に導く沸き上げ配管と、前記沸き上げ配管に設けた沸き上げポンプと、前記沸き上げ配管の途中に配設して前記沸き上げポンプで供給される水を加熱する加熱手段と、前記貯湯タンク内の残湯量を算出する残湯量算出手段とを備え、全量沸き上げ運転を行う時間帯を設定するとともに、前記残湯量算出手段で所定残湯量を算出した場合に湯切れ沸き上げ運転を行うことを設定した貯湯式給湯装置であって、前記湯切れ沸き上げ運転の停止を判断する停止残湯量を時間別に任意の値に設定する残湯量設定手段を有し、前記残湯量設定手段で設定された停止残湯量と前記残湯量算出手段で算出された残湯量に基づいて前記加熱手段の停止制御を行うようにし、前記残湯量設定手段は、所定の時間における貯湯タンク内の過去の残湯量が起動残湯量を下回る頻度が多いほど、前記所定の時間より前の時間の停止残湯量も多くなるよう変更するようにしたことを特徴とするものである。
【００１１】
そして、昼間時間帯に行われる湯切れ沸き上げ運転の停止条件として停止残湯量を設定し、この停止残湯量を湯切れ沸き上げ運転が行われる時間帯において、その時間別にそれぞれ任意の値に設定するようにしているため、設置スペース、イニシャルコストを低減するために貯湯タンクを小型化した場合でも、一日の湯量の使用形態に応じた最適な残湯湯量の確保を実現することができ、無駄な湯切れ沸き上げ運転を行うことなく、効率的な沸き上げ動作を確保することができ、かつ、湯量を大量に使用する湯張り動作に対応して事前に必要湯量を確保することができると共に、湯張り動作中における湯切れ沸き上げ運転を早期に開始することで湯張り動作後の湯切れ現象を解消することができる。
【００１２】
つまり、昼間の電力供給時間帯の沸き上げは湯切れを防止するための最小限に抑え、深夜時間帯に沸かすべき水を貯湯タンク内に確保できるため、ランニングコストアップを必要最小限に抑えることができる。そして、設置スペース、イニシャルコスト、ランニングコストの最適化を図るときに、貯湯タンクの小型化によるランニングコストアップを低減できるため、貯湯タンクの容量をより小さいものにすることができ、トータルのコストダウンおよび設置性の向上が図れる。
【００１３】
これによれば、使用者の使用状況に応じて沸き上げ運転の起動及び停止を行うので、湯張り動作中における湯切れ沸き上げ運転を早期に開始することで湯張り動作後の湯切れ現象を解消することができる。また、本発明の制御によれば、湯張り動作中における湯切れ沸き上げ運転を早期に開始することで湯切れ現象を解消することができる。
【００１４】
また、第２の発明において、残湯量設定手段は、風呂湯張り動作が行われる時間帯において、起動残湯量及び停止残湯量が最も多くなるように設定したものである。
【００１５】
これによれば、湯が大量に使用される風呂湯張り動作が行われる時間帯において湯切れ沸き上げ運転の開始条件である起動残湯量を最大値に設定し、沸き上げ運転に入り易い条件に設定するとともに、その時の停止条件である停止残湯量は最大の湯量を確保できる値に設定することで、湯張り動作に必要な湯量を確保することができ、かつ、湯張り動作中の湯切れ沸き上げ運転を確実に行うことで、湯張り動作終了後の湯切れ現象を解消することができる。
【００１６】
また、第３の発明によれば、加熱手段は、圧縮機、放熱器、膨張弁、及び蒸発器を配管で接続したヒートポンプサイクルとし、前記ヒートポンプサイクルに用いる冷媒を二酸化炭素とし、高圧側では臨界圧を越える状態で運転することを特徴とするものである。
【００１７】
そして、９０℃に近い高温水を貯湯することができるとともに、レジオネラ菌などを考慮した６５℃程度の温水の貯湯を高いＣＯＰで行うことができる。
【００１８】
以下、本発明の実施の形態について、図面を参照しながら説明する。なお、この実施の形態によって本発明が限定されるものではない。
【００１９】
（実施の形態１）
図１は本発明の一実施例による貯湯式給湯装置の構成図である。
【００２０】
貯湯タンク１の上部には出湯管２を、貯湯タンク１の下部には給水管３を有している。貯湯タンク１の下部と上部とは、沸き上げ配管４によって連通され、貯湯タンク１下部の水は、沸き上げポンプ５によって熱交換器６に導かれ、その熱交換器６によって加熱されて湯となり、貯湯タンク１上部に導かれる。出湯管２から給湯されると、それに伴い給水管３から貯湯タンク１内に水が給水され、貯湯タンク１内では、比重差から湯が上部、水が下部に分離し、湯が押し下げられる形で層を成して蓄積される。貯湯タンク１には、貯湯タンク１下部から上部の湯温を検出する複数の残湯温検出器７が設けられている。ここでは、貯湯タンク１の最下部に配置された残湯温検出器７ａと、その残湯温検出器７ａの上方に配置された残湯温検出器７ｂと、貯湯タンク１の最上部に配置された残湯温検出器７ｅと、その残湯温検出器７ｅの下方に順に配置された残湯温検出器７ｄ、７ｃを設けている。例えば、貯湯タンク１の全容量を１５０Ｌとすると、残湯温度検出器７ａは１３０Ｌの位置に配置し、この残湯温度検出器７ａが所定温度以上の湯温を検出している場合は貯湯タンク１内に使用可能な湯量として１３０Ｌ以上が貯留されていると判断する残湯量検出機能を有している。同様に残湯温度検出器７ｂは１００Ｌの位置に配置し、この残湯温度検出器７ｂが所定温度以上の湯温を検出している場合は貯湯タンク１内に使用可能な湯量として１００Ｌ以上が貯留されていると判断する。また、残湯温度検出器７ｃは８０Ｌ、残湯温度検出器７ｄは５０Ｌ、残湯温度検出器７ｅは２０Ｌの位置に配置し、それぞれ残湯量として８０Ｌ、５０Ｌ、２０Ｌが貯留されているか否かを判断する信号を出力する。そして、有効残湯量の判断基準としては、例えば、それぞれの残湯温検出器７ａ、７ｂ、７ｃ、７ｄ，７ｅが４５℃を下回った時点で残湯量なしと判断し湯切れ沸き上げが必要と判断する。また、検出温度が例えば６０℃以上または設定温度になると残湯量ありと
判断して沸き上げを停止する。つまり、残湯温検出器７ａ、７ｂ、７ｃ、７ｄ、７ｅは、検出温度が例えば６０℃以上または設定温度の時はそれぞれの位置に配置された残湯量検出器７ｅ、７ｄ、７ｃ、７ｂ、７ａの設置位置まで湯があり、４５℃を下回った時点で湯がなしと判断する。４５℃と６０℃または設定温度とを判断温度とすることでチャタリングを防止している。
【００２１】
加熱手段１４は、圧縮機１０、放熱器６、膨張弁１２、及び蒸発器１１を配管によって接続したヒートポンプサイクルで構成されている。このヒートポンプサイクルは、冷媒として二酸化炭素を用い、高圧側では臨界圧を越える状態で運転することが好ましい。このようなヒートポンプサイクルを用いることで、９０℃に近い高温水を貯湯することができるとともに、レジオネラ菌などを考慮した６５℃程度の温水の貯湯は高いＣＯＰで行うことができる。
【００２２】
熱交換器６に至るまでの沸き上げ配管４には入水温検出器１３ａが設けられ、熱交換器６の出口側の沸き上げ配管４には出湯温検出器１３ｂが設けられている。また、本実施例による貯湯式給湯装置は、外気温度を検出する外気温検出器１３ｃを備えている。
【００２３】
上記構成において、沸き上げ運転時には、沸き上げポンプ５及び圧縮機１０を運転する。
【００２４】
例えば、沸き上げ温度が９０℃の場合は、出湯温検出器１３ｂの温度が９０℃になるように沸き上げポンプ５を適切な流量に調節して制御する。また、出湯温度の制御は、圧縮機１０の回転数や膨張弁１２の開度などのヒートポンプサイクルでの制御によって行うこともできる。上記動作により貯湯タンク１には、上部から順に９０℃の湯が貯留され、入水温検出器１３ａが所定温度、例えば６０℃を検出すると、９０℃の湯が貯湯タンク１の下部まで達したと判断し、沸き上げポンプ５及び圧縮機１０を停止し、沸き上げ運転を終了する。
【００２５】
本実施例による貯湯式給湯装置では、第１の所定時間帯と第２の所定時間帯とを設定している。第１の所定時間帯は、例えば２３時から７時までの深夜時間帯で、熱交換器６を動作させて全量沸き上げ運転を行う時間を含む時間帯であり、ピークシフト時間帯を含んでいる。ピークシフト時間帯は、全量沸き上げ運転を待機させている時間帯である。第２の所定時間帯は、例えば７時から２３時までの昼間時間帯で、全量沸き上げ運転を行わない時間帯である。このピークシフト時間帯と第２の所定時間帯では、全量沸き上げ運転では湯量が足りないと判断された場合に湯切れ沸き上げ運転を行う。
【００２６】
本実施例の貯湯式給湯装置は、残湯量算出手段３１と残湯量設定手段３８からの情報を比較し湯切れ沸き上げ運転の開始及び停止を判断する湯切れ沸き上げ運転判別手段３９と、温度検出手段３２とを備えている。湯温・能力レベル変更手段３３は、湯切れ沸き上げ運転判別手段３９と温度検出手段３２からの信号に基づいて沸き上げ湯温の設定や、ポンプ５及び圧縮機１０の能力設定を行う。沸き上げ運転制御手段３４は、湯温・能力レベル変更手段３３での設定内容に基づいて、ポンプ５及び圧縮機１０の能力を制御する。操作部３５は、風呂自動設定手段を有しており、風呂自動設定手段によって設定が入力されると、湯温・能力レベル変更手段３３に設定信号を出力するとともに、風呂自動湯張り手段３６に対して動作開始信号を出力する。風呂自動湯張り手段３６では、あらかじめ設定された湯温となるように、貯湯タンク１の上部からの貯湯水と、給水管３からの冷水とを混合し、あらかじめ設定した湯量を浴槽３７に供給する。
【００２７】
残湯量算出手段３１は、残湯温検出器７で検出した貯湯タンク１内のそれぞれの位置における湯温から残湯量を算出するようにしており、具体的方法としては上記した如く、予
め定めた上下の基準温度（例えば４５℃と６０℃以上）と残湯温度検出器７で検出した温度とを比較し、下の基準温度以下の場合は各位置における残湯量がないと判断し、上の基準温度以上の場合は各位置における残湯量があると判断して、現在の残湯量がいくらであるかの信号を出力するようにしている。
【００２８】
残湯量設定手段３８は、起動残湯量あるいは停止残湯量あるいは起動残湯量と停止残湯量を時間別に任意に設定し、昼間時間帯及びピークシフト時間帯に行われる湯切れ沸き上げ運転の開始条件と停止条件をパターン化して設定するようにしたものである。ここで起動残湯量とは、湯切れ沸き上げ運転を開始する残湯量の設定値であり、貯湯タンク１内の残湯量がこの起動残湯量を下回ると湯切れ沸き上げ運転を開始する。具体的には上記残湯量算出手段３１から出力される残湯量信号が残湯量設定手段３８で設定された起動残湯量信号を下回ると沸き上げ開始信号が出力される。また、停止残湯量とは、湯切れ沸き上げ運転を停止する残湯量の設定値であり、沸き上げ運転により貯湯タンク１内の残湯量がこの停止残湯量を上回ると湯切れ沸き上げ運転を停止する。具体的には上記残湯量算出手段３１から出力される残湯量信号が残湯量設定手段３８で設定された停止残湯量信号を上回ると沸き上げ停止信号が出力される。そして、起動残湯量と停止残湯量は図２に示すように、時間別に任意の値に設定され、生活パターンに応じた湯水の使用状況に対応して効率的な沸き上げ運転により適正な湯量を確保するようにしている。図２を用いてさらに詳細に説明すると、例えば、朝の７時から１０時頃までは比較的湯水の使用量が多い時間帯ではあるが、前夜の全量沸き上げ運転により貯湯タンク１内に多くの湯量が確保されており、この湯を利用することが可能であるため、この時間帯における起動残湯量は低めに設定し、湯切れ沸き上げ運転に入りにくい状態に設定する。湯の使用量が多くなって万一湯切れ沸き上げ運転に入った場合でも、その後の時間帯においてあまり湯が使われないことを考慮すると多くの沸き上げ湯量は必要がない。そこで、この時間帯における停止残湯量は少な目に設定し、沸き上げ湯量を控えるようにする。次に、１０時から１７時頃までは一日のうちで最も湯水の使用量が少ない時間帯であり、この時間帯は７時から１０時頃までの起動残湯量よりさらに低めに設定し、より湯切れ沸き上げ運転に入りにくい状態に設定する。そして、停止残湯量もさらに少な目に設定することで、電力料金の高い昼間時間帯の沸き上げ運転を制限することができる。そして、１７時から入浴時間帯を含む２０時頃までの一日のうちで最も湯水の使用量が多い時間帯にあっては、起動残湯量を最高に設定し、入浴時間帯に備えるために事前に沸き上げ運転を開始させ、必要湯量を確保するように運転を行うとともに、湯張り動作開始により貯湯タンク１内の湯量が少し減っただけでも湯切れ沸き上げ動作を開始するようにして、湯張り動作中に沸き上げ動作を行うことで、その後のシャワー使用時の湯量確保を行うようにしている。また、この時間帯の停止残湯量も貯湯タンク１の略全量が沸き上がるように最高の設定としている。そして、入浴時間帯が終了する２０時以降は起動残湯量と停止残湯量を少な目に設定し、沸き上げ湯量を控えることで、電力料金の安い深夜時間帯の沸き上げ比率を高めるようにしている。そして、２３時以降は深夜時間帯となりピークシフト時間帯を経過して全量沸き上げ運転を開始するようにしている。このピークシフト時間帯も当然、起動残湯量と停止残湯量を少な目に設定し、沸き上げ湯量を控えるようにしている。なお、起動残湯量と停止残湯量は全量沸き上げ運転時間帯を除く時間帯において、少なくとも１時間単位で設定することが可能な構成とし、使用実態に合わせて任意の値に設定することで、湯切れ沸き上げ運転に入りにくい時間帯及び湯切れ沸き上げ運転やすい時間帯を容易に設定することができる。
【００２９】
以上のように、時間別に細かく起動残湯量と停止残湯量を任意に設定することで、生活パターンに応じた湯水の使用状況に対応して効率的な沸き上げ運転により適正な湯量を確保することができる。
【００３０】
湯切れ沸き上げ運転判別手段３９は、残湯量設定手段３８により上記の如く時間帯別に細かく設定された起動残湯量及び停止残湯量と残湯量算出手段３１で算出された貯湯タン
ク１内の残湯量とを比較し、湯切れ沸き上げ運転の開始が必要か、あるいは湯切れ沸き上げ運転を停止させるべきかを判断して、湯温・能力レベル変更手段３３と沸き上げ運転制御手段３４に信号を出力する。温度検出手段３２は、入水温検出器１３ａ、出湯温検出器１３ｂ、及び外気温検出器１３ｃで検出した温度信号を湯温・能力レベル変更手段３３と沸き上げ運転制御手段３４に出力する。
【００３１】
以上の構成により、例えば、残湯量設定手段３８で設定された起動残湯量の設定値に対応する残湯温検出器７が４５℃を下回ったことを残湯量算出手段３１で検出した場合には、湯温・能力レベル変更手段３３によって、全量沸き上げ運転時と同じ沸き上げ温度（例えば８５℃）に設定され、湯切れ沸き上げ運転を行う。そして、この湯切れ沸き上げ運転では、設定温度に基づき、沸き上げ運転制御手段３４から、ポンプ５及び圧縮機１０に動作信号が出力される。また、温度検出手段３２によって出湯温検出器１３ｂでの出湯温度が検出され、この出湯温度が目標の沸き上げ温度（例えば８５℃）となるように、湯温・能力レベル変更手段３３によってポンプ５及び圧縮機１０の能力が変更される。上記沸き上げ動作により沸き上げ湯量が増加し、残湯量設定手段３８で設定された停止残湯量の設定値に対応する残湯温検出器７が設定温度を上回ったことを残湯量算出手段３１で検出した場合には、沸き上げ運転制御手段３４によってポンプ５及び圧縮機１０の運転を停止する。なお、停止残湯量を最高に設定する場合は、最下部の残湯温度検出器７ａの温度が設定温度に到達したときとしてもよく、また、全量沸き上げ時の停止条件である、温度検出手段３２によって入水温検出器１３ａでの入水温度が検出され、この入水温度が目標の沸き上げ温度（例えば８５℃）になると、沸き上げ運転制御手段３４によってポンプ５及び圧縮機１０の運転を停止するようにしてもよい。なお、温度検出手段３２によって外気温検出器１３ｃでの外気温度が検出され、この外気温度に応じて目標の沸き上げ温度を設定変更するように構成されている。
【００３２】
次に、図３を用いて本実施例の貯湯式給湯装置の制御フローを説明する。
【００３３】
まず、湯温・能力レベル変更手段３３によって沸き上げ湯温・能力を決定する（ステップ１）。そして現在の時刻から、昼間時間帯（第２の所定時間帯）か否かを判断する（ステップ２）。現在が第２の所定時間帯であれば、残湯温検出器７ａ、７ｂ、７ｃ、７ｄ、７ｅでの検出温度から残湯量算出手段３１で算出されるタンク残湯量が残湯量設定手段３８で時間帯別に設定された起動残湯量を下回っているか否かを判断する（ステップ３）。
【００３４】
ステップ３において、残湯量算出手段３１で算出されるタンク残湯量が起動残湯量を下回っていない場合には、残湯監視を継続する（ステップ４）。ステップ３において、タンク残湯量が起動残湯量を下回った場合には、湯温・能力レベル変更手段３３によって、圧縮機１０の能力を全量沸き上げ運転時の能力（例えば４．５ｋＷ）よりも高い能力（例えば９ｋＷ）に変更し（ステップ５）、湯切れ沸き上げ運転を行う（ステップ６）。
【００３５】
そして、残湯温検出器７ａ、７ｂ、７ｃ、７ｄ、７ｅでの検出温度から残湯量算出手段３１で算出されるタンク残湯量が残湯量設定手段３８で時間帯別に設定された停止残湯量を上回っているか否かを判断する（ステップ７）。
【００３６】
ステップ７において、タンク残湯量が停止残湯量を上回っていない場合には、湯切れ沸き上げ運転を継続する（ステップ６）。ステップ７において、タンク残湯量が停止残湯量を上回ったと判断された場合には、湯切れ沸き上げ運転を停止する（ステップ８）。
【００３７】
ステップ２において、第２の所定時間帯でないと判断された場合には、ピークシフト時間帯であるか否かが判断される（ステップ９）。
【００３８】
ステップ９において、ピークシフト時間帯であると判断された場合には、上記昼間時間帯の場合と同様に、残湯温検出器７ａ、７ｂ、７ｃ、７ｄ、７ｅでの検出温度から残湯量算出手段３１で算出されるタンク残湯量が残湯量設定手段３８で時間帯別に設定された起動残湯量を下回っているか否かを判断する（ステップ１０）。
【００３９】
ステップ１０において、タンク残湯量が起動残湯量を下回っていないには残湯監視を継続する（ステップ１１）。ステップ１０において、タンク残湯量が起動残湯量を下回った場合には、湯温・能力レベル変更手段３３によって、圧縮機１０の能力を全量沸き上げ運転時の能力（例えば４．５ｋＷ）よりも高い能力（例えば９ｋＷ）に変更し（ステップ１２）、湯切れ沸き上げ運転を行う（ステップ１３）。
【００４０】
そして、タンク残湯量が残湯量設定手段３８で設定した停止残湯量を越えたか否かを判断する（ステップ１４）。
【００４１】
ステップ１４において、タンク残湯量が停止残湯量を越えていない場合には、湯切れ沸き上げ運転を継続する（ステップ１３）。ステップ１４において、タンク残湯量が停止残湯量を越えたと判断された場合には、湯切れ沸き上げ運転を停止する（ステップ１５）。
【００４２】
ステップ９において、ピークシフト時間帯でないと判断された場合には、第２の所定時間帯終了時に、入水温度検出手段１３ａでの検出温度が所定温度に達しているか否かを判断する（ステップ１６）。
【００４３】
ステップ１６において、入水温度検出手段１３ａでの検出温度が所定温度に達していないと判断した場合には、予定通り全量沸き上げ運転を行う（ステップ１７）。またステップ１６において、入水温度検出手段１３ａでの検出温度が所定温度以上であると判断した場合には、全量沸き上げ運転を行わない（ステップ１８）。
【００４４】
（実施の形態２）
実施の形態１における残湯量設定手段３８では、事前に起動残湯量あるいは停止残湯量、起動残湯量、停止残湯量を時間別に任意に設定し、昼間時間帯及びピークシフト時間帯に行われる湯切れ沸き上げ運転の開始条件と停止条件をパターン化して設定するようにしていた。
【００４５】
しかし、使用者の湯水使用パターンは必ずしも統計的に決められるものではなく、例えば、一般的な家庭においては浴槽に湯水を張る時間は１７時から１９時の間であると考えられるが、実際には１７時以前であったり、２１時以降に浴槽に湯水を張る家庭もある。そして、現実的にこのような場合を想定して沸き上げ運転の開始条件と停止条件をパターン化して残湯量設定手段３８へ事前に記憶しておくことは困難である。
【００４６】
そこで、本実施の形態では、各使用者の過去の残湯量の履歴を記憶しておき、その履歴に応じて沸き上げ運転の開始条件と停止条件を変化させる形態について、以下説明を行う。
【００４７】
まず、残湯量設定手段３８は所定時間（１時間）間隔で残湯量を算出する。そして、算出した残湯量が予め残湯量設定手段３８に記憶されている起動残湯量を下回っていた場合は、以下の処理を行う、
残湯量設定手段３８はある時点（例えば図２の１３：００とする）の貯湯タンク１の残湯量を算出後、過去１週間におけるその時点（１３：００）の残湯量を調べ、過去１週間のうち４回以上（例えば１週間の半数以上の回数であればよい）現在残湯量設定手段３８に記憶されている起動残湯量（図２では２０Ｌに設定）を下回れば、残湯量設定手段３８
は現在設定されている１３：００より１時間前の１２：００の起動残湯量と停止残湯量とを増加させる。
【００４８】
これによれば、過去に頻繁に沸き上げ運転を行っている時間帯に対して、その一つ前（１時間前）の時間帯の起動残湯量と停止残湯量の設定値を増加するので、使用者の使用状況に応じた沸き上げ運転が可能となり、貯湯タンク１内はある程度の残湯量を常に保つことができるので、湯切れの発生が解消される。
【００４９】
なお、本実施の形態では、過去の履歴を調べる上で、調査期間を過去１週間として説明したが、過去１０日間や過去１ヶ月のように長期間の間でモニターしてもよいし、あるいは前日１日のみとしてもよい。
【００５０】
また、１週間の半数以上の回数だけ起動残湯量を下回れば、起動残湯量と停止残湯量の設定値を増加するとしたが、例えば１週間のうち２日下回ったときや、あるいは６日下回ったときに設定値を増加するようにしてもよく、これらは設計者が使用状況や環境に応じて、任意に決めることができる。
【００５１】
また、１週間のうち２日下回ったときと、１週間のうち６日下回ったときの起動残湯量と停止残湯量の設定値の増加率を異なるようにしてもよい。具体的には、１週間のうち２日下回ったときよりも６日下回ったときの方が、増加率が高くなるように設定するとよい。
【００５２】
また、上記例では過去に頻繁に沸き上げ運転を行っている時間帯に対して、その一つ前（１時間前）の時間帯の起動残湯量と停止残湯量の設定値を増加するようにしたが、一つ前の時間帯に限らずの起動残湯量と停止残湯量の設定値を増加してもよい。また、１週間のうち２日起動残湯量を下回ったときは、その一つ前（１時間前）の時間帯の起動残湯量と停止残湯量の設定値を増加し、週間のうち６日起動残湯量を下回ったときは、より多くの湯量を貯湯タンク１に蓄えるために２つ前（２時間前）の時間帯の起動残湯量と停止残湯量の設定値を増加するようにしてもよい。
【産業上の利用可能性】
【００５３】
本発明の貯湯式給湯装置は、特に冷媒として二酸化炭素を用いたヒートポンプサイクルを利用した貯湯式給湯装置に有用であり、その他ヒータやガスを熱源とする貯湯式給湯装置にも適用できる。
【図面の簡単な説明】
【００５４】
【図１】本発明の第１の実施の形態よる貯湯式給湯装置の構成図
【図２】同貯湯式給湯装置の湯切れ沸き上げ運転の動作を示す図
【図３】同貯湯式給湯装置の制御フロー図
【図４】本発明の第２の実施の形態による貯湯式給湯装置の構成図
【符号の説明】
【００５５】
１  貯湯タンク
２  出湯管
３  給水管
４  沸き上げ配管
５  沸き上げポンプ
６  熱交換器
７ａ  残湯温検出器
７ｂ  残湯温検出器
７ｃ  残湯温検出器
７ｄ  残湯温検出器
７ｅ  残湯温検出器
１０  圧縮機
１１  蒸発器
１２  膨張弁
１４  ヒートポンプサイクル（加熱手段）
３１  残湯量算出手段
３２  温度検出手段
３３  湯温・能力レベル変更手段
３４  沸き上げ運転制御手段
３５  操作部
３６  風呂自動湯張り手段
３７  浴槽
３８  残湯量設定手段
３９  湯切れ沸き上げ運転判別手段
【図１】
0004830491.tif 000002
【図２】
0004830491.tif 000003
【図３】
0004830491.tif 000004
【図４】
0004830491.tif 000005